【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
映像データを表示することが可能であり、かつ映像データを表示可能な他の通信端末装置と通信可能に接続された通信端末装置の制御方法であって、
前記通信端末装置及び前記他の通信端末装置で表示中の映像データの映像表示をポーズする操作を受け付ける受付ステップと、
ポーズする操作を受け付けた後、第１の画面静止時刻情報を生成する生成ステップと、
前記第１の画像静止時刻情報に基づいて、当該時刻で映像表示をポーズした静止画像を表示する制御を行う制御ステップと、
前記第１の画面静止時刻情報を前記他の通信端末装置に送信する送信ステップ
とを有し、
前記第１の画面静止時刻情報は、前記他の通信端末装置と前記通信端末装置とが同じ静止画像を表示するために、前記通信端末装置から前記他の通信端末装置へ送信されることを特徴とする通信端末装置の制御方法。
【請求項２】
更に、前記他の通信端末装置が表示中の映像データの映像表示を前記第１の画面静止時刻情報に基づいてポーズした時刻を示す第２の画面静止時刻情報を受信する受信ステップを有し、
前記制御ステップは、前記第１の画面静止時刻情報及び前記第２の画面静止時刻情報に基づいて、いずれか一方の時刻に対応する静止画像を表示することを特徴とする請求項１に記載の通信端末装置の制御方法。
【請求項３】
前記制御ステップは、前記第２の画面静止時刻情報の時刻が前記第１の画面静止時刻情報の時刻より後の場合、前記第２の画面静止時刻情報の時刻に対応する静止画像を表示することを特徴とする請求項２に記載の通信端末装置の制御方法。
【請求項４】
前記通信端末装置は映像データを格納する記憶部を有し、
前記制御ステップは、前記第１の画像静止時刻情報に対応する時刻から映像データを前記記憶部に格納する制御を行うことを特徴とする請求項２に記載の通信端末装置の制御方法。
【請求項５】
前記制御ステップは、前記第１の画面静止時刻情報に対応する時刻までに前記第２の画像静止時刻情報を受信した場合は前記記憶部に映像データを格納しないことを特徴とする請求項４に記載の通信端末装置の制御方法。
【請求項６】
映像データを表示することが可能であり、かつ映像データを表示可能な他の通信端末装置と通信可能に接続された通信端末装置であって、
前記通信端末装置及び前記他の通信端末装置で表示中の映像データの映像表示をポーズする操作を受け付ける受付手段と、
ポーズする操作を受け付けた後、第１の画面静止時刻情報を生成する生成手段と、
前記第１の画像静止時刻情報に基づいて、当該時刻で映像表示をポーズした静止画像を表示する制御手段と、
前記第１の画面静止時刻情報を前記他の通信端末装置に送信する送信手段
とを有し、
前記第１の画面静止時刻情報は、前記他の通信端末装置と前記通信端末装置とが同じ静止画像を表示するために、前記通信端末装置から前記他の通信端末装置へ送信されることを特徴とする通信端末装置。
【請求項７】
更に、前記他の通信端末装置が表示中の映像データの映像表示を前記第１の画面静止時刻情報に基づいてポーズした時刻を示す第２の画面静止時刻情報を受信する受信手段を有し、
前記制御手段は、前記第１の画面静止時刻情報及び前記第２の画面静止時刻情報に基づいて、いずれか一方の時刻に対応する静止画像を表示することを特徴とする請求項６に記載の通信端末装置。
【請求項８】
前記制御手段は、前記第２の画面静止時刻情報の時刻が前記第１の画面静止時刻情報の時刻より後の場合、前記第２の画面静止時刻情報の時刻に対応する静止画像を表示することを特徴とする請求項７に記載の通信端末装置。
【請求項９】
更に、映像データを格納する記憶手段を有し、
前記制御手段は、前記第１の画像静止時刻情報に対応する時刻から映像データを前記記憶部に格納する制御を行うことを特徴とする請求項７に記載の通信端末装置。
【請求項１０】
前記制御手段は、前記第１の画面静止時刻情報に対応する時刻までに前記第２の画像静止時刻情報を受信した場合は前記記憶部に映像データを格納しないことを特徴とする請求項９に記載の通信端末装置。
【請求項１１】
ネットワーク経由で接続された複数の通信端末装置からなる映像通信システムであって、
前記複数の通信端末装置の各々は、
放送波を受信し、映像データを出力するための放送受信部と、
前記映像データに基づいて画像を表示可能に制御する制御部
とを有し、
前記制御部は他の通信端末装置から発行された画面静止指示と画面静止時刻情報を受信し、前記他の通信端末装置と同じ静止画像を表示するように前記画面静止指示と前記画面静止時刻情報に従って画面静止操作を制御することを特徴とする映像通信システム。
【請求項１２】
前記通信端末装置は、接続された他の通信端末装置との接続状態を制御するネットワーク制御部を有し、前記ネットワーク制御部を介して受信した前記他の通信端末装置からの応答に基づいて、所定期間の映像データを記憶するメモリを有する請求項1１に記載の映像通信システム。
【請求項１３】
ネットワーク経由で接続された複数の通信端末装置からなる映像通信システムであって、
前記複数の通信端末装置の各々は、
映像を再生する再生部と、
前記映像再生部から出力された映像データに基づいて画像を表示可能に制御する制御部
とを有し、
前記制御部は、ユーザの再生操作に応じて、接続された他の通信端末装置に同じ映像データを転送すると共に、再生操作をポーズする操作に基づいて映像データのポーズ位置を示すポーズ位置情報を前記他の通信端末装置に送信することを特徴とする映像通信システム。
【請求項１４】
前記通信端末装置は、接続された他の通信端末装置との接続状態を制御するネットワーク制御部を有し、前記ネットワーク制御部を介して受信した前記他の通信端末装置からの応答に基づいて、所定期間の映像データを記憶するメモリを有する請求項１３に記載の映像通信システム。
【請求項１５】
前記ポーズ位置情報は現在時刻に所定時間を付加した値であることを特徴とする請求項１４に記載の映像通信システム。
【請求項１６】
前記映像データは、フレームを識別するための識別子を含み、
前記ポーズ位置情報は、フレーム識別子であることを特徴とする請求項１５に記載の映像通信システム。
【請求項１７】
前記映像データは読み出し可能な記録媒体に記録され、
前記ポーズ位置情報は前記記録媒体上の記録位置情報に相当するものであることを特徴とする請求項１５に記載の映像通信システム。
【手続補正２】
【補正対象書類名】明細書
【補正対象項目名】発明の名称
【補正方法】変更
【補正の内容】
【発明の名称】通信端末装置、通信端末装置の制御方法及び映像通信システム
【手続補正３】
【補正対象書類名】明細書
【補正対象項目名】０００１
【補正方法】変更
【補正の内容】
【０００１】
本発明は、通信端末装置、通信端末装置の制御方法及び映像通信システムに関する。
【手続補正４】
【補正対象書類名】明細書
【補正対象項目名】０００８
【補正方法】変更
【補正の内容】
【０００８】
本発明は、このような不都合を解消する通信端末装置、通信端末装置の制御方法及び映像通信システムを提示することを目的とする。
【手続補正５】
【補正対象書類名】明細書
【補正対象項目名】０００９
【補正方法】変更
【補正の内容】
【０００９】
本発明に係る通信端末鵜装置の制御方法は、映像データを表示することが可能であり、かつ映像データを表示可能な他の通信端末装置と通信可能に接続された通信端末装置の制御方法であって、前記通信端末装置及び前記他の通信端末装置で表示中の映像データの映像表示をポーズする操作を受け付ける受付ステップと、ポーズする操作を受け付けた後、第１の画面静止時刻情報を生成する生成ステップと、前記第１の画像静止時刻情報に基づいて、当該時刻で映像表示をポーズした静止画像を表示する制御を行う制御ステップと、前記第１の画面静止時刻情報を前記他の通信端末装置に送信する送信ステップとを有し、前記第１の画面静止時刻情報は、前記他の通信端末装置と前記通信端末装置とが同じ静止画像を表示するために、前記通信端末装置から前記他の通信端末装置へ送信されることを特徴とする。
【手続補正６】
【補正対象書類名】明細書
【補正対象項目名】００１０
【補正方法】変更
【補正の内容】
【００１０】
本発明に係る通信端末装置は、映像データを表示することが可能であり、かつ映像データを表示可能な他の通信端末装置と通信可能に接続された通信端末装置であって、前記通信端末装置及び前記他の通信端末装置で表示中の映像データの映像表示をポーズする操作を受け付ける受付手段と、ポーズする操作を受け付けた後、第１の画面静止時刻情報を生成する生成手段と、前記第１の画像静止時刻情報に基づいて、当該時刻で映像表示をポーズした静止画像を表示する制御手段と、前記第１の画面静止時刻情報を前記他の通信端末装置に送信する送信手段とを有し、前記第１の画面静止時刻情報は、前記他の通信端末装置と前記通信端末装置とが同じ静止画像を表示するために、前記通信端末装置から前記他の通信端末装置へ送信されることを特徴とする。
【手続補正７】
【補正対象書類名】明細書
【補正対象項目名】００１１
【補正方法】変更
【補正の内容】
【００１１】
本発明に係る映像通信システムは、ネットワーク経由で接続された複数の通信端末装置からなる映像通信システムであって、前記複数の通信端末装置の各々は、放送波を受信し、映像データを出力するための放送受信部と、前記映像データに基づいて画像を表示可能に制御する制御部とを有し、前記制御部は他の通信端末装置から発行された画面静止指示と画面静止時刻情報を受信し、前記他の通信端末装置と同じ静止画像を表示するように前記画面静止指示と前記画面静止時刻情報に従って画面静止操作を制御することを特徴とする。
【手続補正８】
【補正対象書類名】明細書
【補正対象項目名】００１２
【補正方法】変更
【補正の内容】
【００１２】
本発明に係る映像通信システムは、ネットワーク経由で接続された複数の通信端末装置からなる映像通信システムであって、前記複数の通信端末装置の各々は、映像を再生する再生部と、前記映像再生部から出力された映像データに基づいて画像を表示可能に制御する制御部とを有し、前記制御部は、ユーザの再生操作に応じて、接続された他の通信端末装置に同じ映像データを転送すると共に、再生操作をポーズする操作に基づいて映像データのポーズ位置を示すポーズ位置情報を前記他の通信端末装置に送信することを特徴とする。